(57)【特許請求の範囲】
【請求項１】
帽体と、該帽体に取り付けられたハンモックと、該ハンモックに取り付けられたヘッドバンドとを有するヘルメットに於いて、内壁部と、外壁部と、それらの下端を連結する連結部と、内壁部に設けられた鋲状突出部とを有する留め具が内壁部と外壁部との間に帽体の下端を挟むことによって帽体の下端に取り付けられ、且つハンモックが頂部と、該頂部から垂下した帯状垂下部と、該帯状垂下部の下端に設けられた通孔とを有し、ハンモックの通孔を留め具の鋲状突出部に係止させることによってハンモックが帽体に取り付けられていることを特徴とするヘルメット。
【請求項２】
帽体の下端に内方に凹んだ凹部が形成され、該凹部に留め具が取り付けられている請求項１記載のヘルメット。
【請求項３】
帽体に形成された凹部の下端に切欠部が形成されている請求項２記載のヘルメット。
【請求項４】
留め具の外壁部に凸部が形成されるとともに帽体の下端付近に孔部が形成され、且つ留め具を帽体に取り付けた際に留め具の凸部が帽体の孔部に係止される請求項１、請求項２又は請求項３記載のヘルメット。
【請求項５】
留め具の外壁部に形成された凸部の頂上が下方に向かって内壁部側に傾斜した傾斜面とされている請求項４記載のヘルメット。
【請求項６】
留め具が合成樹脂から成る請求項１、請求項２、請求項３、請求項４又は請求項５記載のヘルメット。
【請求項７】
合成樹脂がポリカーボネート若しくはポリアセタールである請求項６記載のヘルメット。
【請求項８】
帯状垂下部の下端に設けられた通孔が長孔であり、且つ通孔の外側周辺に形成された隆起部によって通孔の中段に内方に突き出した突出部が形成されるとともに該突出部の下方に通孔内に突き出した細径部が形成されている請求項１、請求項２、請求項３、請求項４、請求項５、請求項６又は請求項７記載のヘルメット。
【発明の詳細な説明】
【０００１】
【発明が属する技術分野】
本発明は、作業現場、工事現場等で着用して頭部を保護するヘルメットに関する。
【０００２】
【従来の技術】
作業現場、工事現場等で頭部を保護する為に、帽体と、該帽体に取り付けられたハンモックと、該ハンモックに取り付けられたヘッドバンドとを有するヘルメットが着用されている。
【０００３】
従来、帽体にハンモックを取り付けるには、例えば帽体に設けた貫通孔に片方の手で取付鋲を差し込んで保持しながら他方の手でハンモックに設けた通孔を取付鋲に係止させているが、取付鋲を床や帽体内に落とし易く、帽体にハンモックを取り付ける際の操作が煩雑であった。
【０００４】
【発明が解決しようとする課題】
本発明者等は、帽体にハンモックを容易に容易に取り付けることを目的として研究を進めた結果、本発明に到達した。
【０００５】
【課題を解決するための手段】
本発明は、帽体と、該帽体に取り付けられたハンモックと、該ハンモックに取り付けられたヘッドバンドとを有するヘルメットに於いて、内壁部と、外壁部と、それらの下端を連結する連結部と、内壁部に設けられた鋲状突出部とを有する留め具が内壁部と外壁部との間に帽体の下端を挟むことによって帽体の下端に取り付けられ、且つハンモックが頂部と、該頂部から垂下した帯状垂下部と、該帯状垂下部の下端に設けられた通孔とを有し、ハンモックの通孔を留め具の鋲状突出部に係止させることによってハンモックが帽体に取り付けられていることを特徴とするヘルメットに関する。
【０００６】
本発明は、帽体の下端に内方に凹んだ凹部が形成され、該凹部に留め具が取り付けられている前記ヘルメットに関する。
【０００７】
本発明は、帽体に形成された凹部の下端に切欠部が形成されている前記ヘルメットに関する。
【０００８】
本発明は、留め具の外壁部に凸部が形成されるとともに帽体の下端付近に孔部が形成され、且つ留め具を帽体に取り付けた際に留め具の凸部が帽体の孔部に係止される前記ヘルメットに関する。
【０００９】
本発明は、留め具の外壁部に形成された凸部の頂上が下方に向かって内壁部側に傾斜した傾斜面とされている前記ヘルメットに関する。
【００１０】
本発明は、留め具が合成樹脂から成る前記ヘルメットに関する。
【００１１】
本発明は、合成樹脂がポリカーボネート若しくはポリアセタールである前記ヘルメットに関する。
【００１２】
本発明は、帯状垂下部の下端に設けられた通孔が長孔であり、且つ通孔の外側周辺に形成された隆起部によって通孔の中段に内方に突き出した突出部が形成されるとともに該突出部の下方に通孔内に突き出した細径部が形成されている前記ヘルメットに関する。
【００１３】
【発明の実施の形態】
以下、図面に従い、本発明に係わるヘルメットの好適な実施の形態について説明する。
【００１４】
図１は本発明に係わるヘルメットの実施の一形態を示す断面図であり、図２は図１に示したヘルメットに於ける留め具の斜視図であり、図３は図２に示した留め具の断面図であり、図４は図２に示した留め具の一部破断斜視図であり、図５は図１に示したヘルメットに於ける帽体の部分斜視図であり、図６は図１に示したヘルメットに於いて帽体にハンモックを取り付けている状態を示す部分斜視図であり、図７は図１に示したヘルメットの部分斜視図である。
【００１５】
本発明に係わるヘルメットは、帽体１と、該帽体１に取り付けられたハンモック２と、該ハンモック２に取り付けられたヘッドバンド３とを有し、留め具４によってハンモック２が帽体１に取り付けられている。
【００１６】
留め具４は、内壁部４１と、外壁部４２と、それらの下端を連結する連結部４３と、内壁部４１に設けられた鋲状突出部４４とを有している。また、留め具４の外壁部４２には凸部４５が形成され、且つ凸部４５の頂上４５１は下方に向かって内壁部４１に向かって傾斜した傾斜面とされている。留め具４は、例えばポリカーボネート、ポリアセタール等の合成樹脂によって形成することができる。
【００１７】
帽体１は、下端に内方に凹んだ複数個、例えば４個の凹部１１が形成されている。また、帽体１の凹部１１には、孔部１２が形成されるとともに凹部１１の下端には切欠部１３が形成されている。帽体１は、例えば硝子繊維強化不飽和ポリエステル樹脂、ポリエチレン、ポリプロピレン、ポリカーボネート、ＡＢＳ樹脂等の合成樹脂によって形成することができる。
【００１８】
留め具４は、内壁部４１と外壁部４２との間に帽体１の下端を挟むことによって帽体１の下端に取り付けることができ、その際に留め具４の凸部４５を帽体１の孔部１２に係止させることによって留め具４を帽体１から外れ難くすることができる。また、留め具４は、帽体１の凹部１１に取り付けることによって留め具４の外壁部４２が帽体１の外側に大きく突き出すことを防止することができ、且つ留め具４の連結部４３を帽体１の切欠部１３に嵌め込むことによって留め具４の連結部４３が帽体１の下方に大きく突き出すことを防止することができる。
【００１９】
ハンモック２は、頂部２１と、該頂部２１から垂下した複数本、例えば４本の帯状垂下部２２と、該帯状垂下部２２の下端に設けられた通孔２３とを有している。帯状垂下部２２の下端に設けられる通孔２３は、長孔とし、且つ通孔２３の外側周辺に形成された隆起部２３１によって通孔２３の中段に内方に突き出した突出部２３２を形成するとともに該突出部２３２の下方に通孔２３内に突き出した細径部２３３を形成することが好ましい。ハンモック２は、例えばポリエチレン等の合成樹脂によって形成することができる。
【００２０】
ハンモック２の通孔２３を留め具４の鋲状突出部４４に係止させるには、ハンモック２の通孔２３の上端に留め具４の鋲状突出部４４の頭部を嵌め込んだ後に、鋲状突出部４４の軸部を隆起部２３１の突出部２３２の間を通して細径部２３３に嵌め込めばよい。
【００２１】
ヘッドバンド３は、帯状主体部３１と、該帯状主体部３１から分岐した複数本、例えば４本の分岐部３２とを有し、分岐部３２に設けられた凸部３３をハンモックに設けられた孔に嵌め込むことによってハンモック２に取り付けられている。ヘッドバンド２は、例えばポリエチレン等の合成樹脂によって形成することができる。
【００２２】
【発明の効果】
本発明に係わるヘルメットは、内壁部４１と外壁部４２との間に帽体１の下端を挟み込んで帽体１の下端に留め具４を取り付けた後に、留め具４の鋲状突出部４４にハンモック２の通孔２３を係止させることにより、帽体１にハンモック２を容易に取り付けることができる。
【００２３】
さらに、本発明に係わるヘルメットは、留め具４を帽体１に取り付ける際に、留め具４の凸部４５を帽体１の孔部１２に係止させることによって留め具４を帽体１から外れ難くすることができる。
【００２４】
さらに、本発明に係わるヘルメットは、留め具４を帽体１の凹部１１に取り付けることによって留め具４の外壁部４２が帽体１の外側に大きく突き出すことを防止することができる。
【００２５】
さらに、本発明に係わるヘルメットは、留め具４の連結部４３を帽体１の切欠部１３に嵌め込むことによって留め具４の連結部４３が帽体１の下方に大きく突き出すことを防止することができる。
【図面の簡単な説明】
【図１】本発明に係わるヘルメットの実施の一形態を示す断面図である。
【図２】図１に示したヘルメットに於ける留め具の斜視図である。
【図３】図２に示した留め具の断面図である。
【図４】図２に示した留め具の一部破断斜視図である。
【図５】図１に示したヘルメットに於ける帽体の部分斜視図である。
【図６】図１に示したヘルメットに於いて帽体にハンモックを取り付けている状態を示す部分斜視図である。
【図７】図１に示したヘルメットの部分斜視図である。
【符号の説明】
１  帽体
１１  凹部
１２  孔部
１３  切欠部
２  ハンモック
２１  頂部
２２  帯状垂下部
２３  通孔
２３１  隆起部
２３２  突出部
２３３  細径部
３  ヘッドバンド
４  留め具
４１  内壁部
４２  外壁部
４３  連結部
４４  鋲状突出部
４５  凸部
４５１  頂上
【図１】
0003991468.tif 000002
【図２】
0003991468.tif 000003
【図３】
0003991468.tif 000004
【図４】
0003991468.tif 000005
【図５】
0003991468.tif 000006
【図６】
0003991468.tif 000007
【図７】
0003991468.tif 000008